(57)【要約】【課題】入り隅などのような狭い箇所での作業性を向上させ、かつ小型化を可能にした墨壷を提供する。【解決手段】ケース１内に、糸巻２と、この糸巻２に巻きつけられると共にケース１の一端に設けられた糸繰り出し口１１Ｃを通って外部へ引き出され先端に止着具６が取り付けられる糸３と、糸巻２と糸繰り出し口１１Ｃの間で糸３に墨汁を付着させる墨汁付着手段４を備える墨壷において、糸繰り出し口１１Ｃの外周の一か所以上から糸繰り出し口１１Ｃの中心軸線と平行な方向より外側へ延びる糸押さえ突起１３７が設けられ、その先端１３７ａがケース１の外側面の延長面より外側に位置する。【選択図】図２
2015213970.tif 000002
【特許請求の範囲】
【請求項１】
ケース内に、糸巻と、この糸巻に巻きつけられると共に前記ケースの一端に設けられた糸繰り出し口を通って外部へ引き出され先端に止着具が取り付けられた糸と、前記糸巻と糸繰り出し口の間で前記糸に墨汁を付着させる墨汁付着手段を備える墨壷において、前記糸繰り出し口の外周の一か所以上から前記糸繰り出し口の中心軸線と平行な方向より外側へ延びる糸押さえ突起が設けられ、その先端が前記ケースの外側面の延長面より外側に位置することを特徴とする墨壷。
【請求項２】
糸押さえ突起の糸繰り出し口と反対側の面に、ケースの糸巻側を握った手の指の先端部を当てることの可能な指当て凹部が形成されたことを特徴とする請求項１に記載の墨壷。
【発明の詳細な説明】
【技術分野】
【０００１】
本発明は、木工あるいは建築工事において、墨汁等の着色液を付着させた糸を施工相手材に張設し、この糸により線を転写する墨壷に関する。
【背景技術】
【０００２】
木工や建築工事で墨線を打つ線引き作業に使用される墨壷は、従来から、基本的にはケース内に糸巻及び墨汁浸透部材が設けられ、糸巻に巻かれた糸が、ケース内で墨汁を沁み込ませた墨汁浸透部材に接触しながら、ケースの一端に形成された糸繰り出し口から外部へ繰り出されるようになっており、糸の先端に、この糸を墨打ち起点に止着するためのカルコが繋着された構造を備える。
【０００３】
この種の墨壷による墨打ち作業においては、まず、カルコを相手材の墨打ち起点に止着してからケースを移動させると、これに伴い、糸巻から引き出される糸には、墨汁浸透部材との接触によって墨汁が付着するので、この糸に、カルコ側の端部とケース側の端部との間で適当なテンションを与えた状態で、相手材の墨打ち対象面に向けて手指ではじくことによって、相手材に直線状の墨線を転写することができる。
【０００４】
また、ケースの糸繰り出し口側の端部を、ケースの長手方向と垂直な面に対して傾斜した糸押さえ面として、引き出された糸をこの糸押さえ面で相手材における墨打ちの一方の起点に押し付けることができるようにしたもの（例えば下記の特許文献１参照）や、ケースの糸繰り出し口側の端部に、金属製の糸押さえ部材を取り付けて、引き出された糸をこの糸押さえ部材で相手材における墨打ちの一方の起点に押し付けることができるようにしたもの（例えば下記の特許文献２参照）が知られている。
【先行技術文献】
【特許文献】
【０００５】
【特許文献１】特許第２７２７２８５号公報
【特許文献２】特開２００６−２１２７２０号公報
【発明の概要】
【発明が解決しようとする課題】
【０００６】
しかしながら、ケースの糸繰り出し口側の端部に傾斜した糸押さえ面を形成したものの場合は、入り隅などのような狭い箇所での作業において、糸押さえ面によって相手材に押し付けた糸の起点が見えにくくなる場合があり、金属製の糸押さえ部材を取り付けたものの場合は、墨壷の小型化が困難になるといった問題が指摘される。
【０００７】
本発明は、以上のような点に鑑みてなされたものであって、その技術的課題は、入り隅などのような狭い箇所での作業性を向上させ、かつ小型化を可能にした墨壷を提供することにある。
【課題を解決するための手段】
【０００８】
上述した技術的課題を有効に解決するための手段として、請求項１の発明に係る墨壷は、ケース内に、糸巻と、この糸巻に巻きつけられると共に前記ケースの一端に設けられた糸繰り出し口を通って外部へ引き出され先端に止着具が取り付けられた糸と、前記糸巻と糸繰り出し口の間で前記糸に墨汁を付着させる墨汁付着手段を備える墨壷において、前記糸繰り出し口の外周の一か所以上から前記糸繰り出し口の中心軸線と平行な方向より外側へ延びる糸押さえ突起が設けられ、その先端が前記ケースの外側面の延長面より外側に位置するものである。
【０００９】
なお、ここでいう「墨汁」とは、本来の墨汁には限定されず、マーキングに使用可能な着色液体全般をさすものである。
【００１０】
請求項１の構成を備える墨壷は、糸巻に巻かれた糸を、ケース内で墨汁付着手段によって墨汁を付着させながら、糸繰り出し口からケースの外部へ繰り出して、施工相手材の表面における一方の墨打ち起点に止着した止着具と他方の墨打ち起点に押し付けた糸押さえ突起との間で張設し、この糸を、相手材の表面に向けて手指ではじくことによって直線状の墨線を転写するものである。そして糸押さえ突起がケースの糸繰り出し口の外周の一か所以上から延び、その先端が前記ケースの外側面の延長面より外側に位置するため、入り隅などのような狭い箇所での作業において、相手材に押し付けた糸押さえ突起及び糸の起点が見えにくくならず、しかもこのため糸押さえ突起が短いものでよく、墨壷の小型化を阻害しない。
【００１１】
請求項２の発明に係る墨壷は、請求項１に記載の構成において、糸押さえ突起の糸繰り出し口と反対側の面に、ケースの糸巻側を握った手の指の先端部を当てることの可能な指当て凹部が形成されたものである。
【００１２】
請求項２の構成を備える墨壷は、糸繰り出し口と反対側の面に形成した指当て凹部に、ケースの糸巻側を握った手の指（たとえば人差し指）の先端部を当てることができるので、糸押さえ突起で糸を相手材の表面に押し付ける際の使い勝手が良い。
【発明の効果】
【００１３】
本発明に係る墨壷によれば、入り隅などのような狭い箇所での作業性を向上させることができ、しかも小型化が可能となる。
【図面の簡単な説明】
【００１４】
【図１】本発明に係る墨壷の好ましい実施の形態を示す斜視図である。
【図２】本発明に係る墨壷の好ましい実施の形態を糸巻の軸心を通り糸引き出し方向と平行な平面で切断して示す断面図である。
【図３】本発明に係る墨壷の好ましい実施の形態において、糸巻側カバー及び墨室部側カバーを開いた状態を示す平面図である。
【図４】本発明に係る墨壷の好ましい実施の形態を示す使用状態の説明図である。
【図５】本発明に係る墨壷の好ましい第二の実施の形態を示す斜視図である。
【発明を実施するための形態】
【００１５】
以下、本発明に係る墨壷の好ましい実施の形態について、図面を参照しながら詳細に説明する。
【００１６】
図１〜図３において、参照符号１は合成樹脂材で成形されたケースである。このケース１は、ケース本体１１、糸巻側カバー１２及び墨室部側カバー１３からなる。ケース本体１１は、円形の皿状の糸巻収納部１１Ａと、その前方（図における右側）の墨室部１１Ｂと、更にその前方の糸繰り出し口１１Ｃが形成され、糸巻側カバー１２は、糸巻収納部１１Ａの上部開口に着脱可能に設けられ、墨室部側カバー１３は、図３に示すようにケース本体１１における墨室部１１Ｂの外側面に軸心が糸３の引き出し方向と略平行なヒンジ１３１を介して揺動可能に設けられ、墨室部１１Ｂ及び糸繰り出し口１１Ｃの上部を開閉するようになっている。
【００１７】
糸巻側カバー１２は、ケース本体１１における糸巻収納部１１Ａの開口縁に着脱可能に固定されることによってこの糸巻収納部１１Ａとの間に、糸巻２を回転自在に保持するものである。詳しくは、糸巻側カバー１２は環状に形成されていて、その円周方向へ適宜回転させることによりケース本体１１との係合状態を解除可能であり、その回転が、墨室部側カバー１３を閉じた状態においてこの墨室部側カバー１３との嵌合よって規制されるようになっている。すなわち図３に示すように、墨室部側カバー１３を開けば糸巻側カバー１２を取り外すことができるようになっている。
【００１８】
糸巻２は、図２に示すように、外周に糸３を巻回する糸巻本体２１と、その内周に取り付けられて糸巻本体２１を糸３の巻き取り回転方向へ付勢する渦巻きばね２２からなる。そしてこの糸巻２は、墨室部側カバー１３を開いて糸巻側カバー１２をケース本体１１の糸巻収納部１１Ａから取り外すことによって、糸巻収納部１１Ａから取り出すことができる。
【００１９】
糸巻本体２１の軸方向一端は、糸巻側カバー１２の内周から外部へ露出しており、その外周部には、ゴム状弾性材料（ゴム材料又はゴム状弾性を有する合成樹脂材料）からなる環状の摩擦部材２３が取り付けられている。そしてこの摩擦部材２３の表面には、円周方向に対する摩擦力を高めるために半径方向へ延びる多数の凹凸２３ａが形成されている。
【００２０】
墨室部側カバー１３の揺動端部（ヒンジ１３１と反対側の端部）には、図１に示すように被掛合爪１３２及び指掛け部１３３が形成されている。被掛合爪１３２は、ケース本体１１における墨室部１１Ｂの外側面に形成された掛合爪１１１にスナップ的に掛合されることによって、墨室部側カバー１３を閉塞状態に固定するものである。
【００２１】
図２及び図３に示すように、墨室部側カバー１３の内面には、ゴム状弾性材料からなるパッキン１３４が設けられ、ケース本体１１における墨室部１１Ｂの上部開口縁に密接可能となっている。そして、墨室部１１Ｂ内には、スポンジ、脱脂綿あるいはフェルト等からなり、好ましくは、墨汁の浸透保持作用に優れたセルロースの繊維からなる墨汁浸透部材４が着脱可能に収納されている。墨汁浸透部材４は、請求項１に記載された墨汁付着手段に相当するものであって、内部に糸３を通すためのスリット４ａが形成されている。
【００２２】
ケース本体１１における糸巻収納部１１Ａと墨室部１１Ｂとの間には糸挿通部１１Ｄが形成され、墨室部１１Ｂと糸繰り出し口１１Ｃとの間には糸挿通部１１Ｅが形成されている。墨室部１１Ｂ内へ向けて突出した漏斗状を呈する糸繰り出し口１１Ｃ及びその突端に位置する糸挿通部１１Ｅは、ケース本体１１とこれに嵌合した墨室部側カバー１３との間に形成されており、糸巻２の糸巻本体２１に巻回された糸３は、糸挿通部１１Ｄから墨室部１１Ｂ内の墨汁浸透部材４のスリット４ａ及び糸挿通部１１Ｅを通って、糸繰り出し口１１Ｃからケース１１の外部へ導出されるようになっている。
【００２３】
墨室部側カバー１３には円形孔が開設されていて、この円形孔には、パッキン１３４と一体に連続した押しボタン１３５が密嵌されており、この押しボタン１３５の内面には押圧部材１３６が取り付けられており、押しボタン１３５を外側から手指で押すことによって押圧部材１３６が押し下げられて墨汁浸透部材４を圧縮変形するようになっている。
【００２４】
墨室部側カバー１３における糸巻収納部１１Ａと反対側の端部、すなわち糸繰り出し口１１Ｃの外周に位置する部分には、糸繰り出し口１１Ｃの中心軸線と平行な方向（図２において糸挿通部１１Ｄ，１１Ｅ間を通る糸３と平行な方向）に対して外側へ傾斜して延びる糸押さえ突起１３７が一体に形成され、その先端１３７ａがケース１（墨室部側カバー１３）の外側面の延長面より外側に位置している。そしてこの糸押さえ突起１３７は、先端１３７ａへ向けて幅が減少するような先細り形状となっており、先端１３７ａには複数の糸掛け溝１３７ｂが形成されている。
【００２５】
また、糸押さえ突起１３７の糸繰り出し口１１Ｃと反対側の面、すなわち押しボタン１３５と隣接する面には、ケース１の糸巻２側（糸巻収納部１１Ａ及び糸巻側カバー１２からなる部分）を握った手の指（例えば人差し指）の先端部を当てることの可能な指当て凹部１３７ｃが形成されている。
【００２６】
図２に示すように、ケース本体１１における糸巻収納部１１Ａの底部には、ばねチャージャ５が取り付けられている。このばねチャージャ５は、ワンウェイクラッチ機構及びその解除機構などからなる公知の構造を備え、糸巻２に内蔵された渦巻きばね２２の付勢力を任意に調整するものである。
【００２７】
図２に示すように、ケース１の外部へ導出される糸３の先端には、カルコ６が繋着されている。カルコ６は請求項１に記載された止着具に相当するものであって、合成樹脂製の中空の柄６１と金属製の止着針６２を備えており、図示の例では、通常は止着針６２が不図示のばねによって柄６１の中に収納されており、使用の際には手指で柄６１をつまむと共に押片６３を前記ばねの付勢力に抗して一点鎖線で示す位置へ押動することによって、柄６１から突出させることができるようになっている。また、柄６１の先端６１ａは、ケース１における漏斗状の糸繰り出し口１１Ｃに嵌合状態に保持することが可能な形状に形成されている。
【００２８】
以上のように構成された実施の形態の墨壷は、使用に際して、予め墨室部１１Ｂ内の墨汁浸透部材４に墨汁を十分に含浸させておく。墨汁は、図３に示すように墨室部側カバー１３を開き、墨室部１１Ｂ内に注入することによって、墨汁浸透部材４に含浸させることができる。
【００２９】
そして墨打ち（線引き）作業においては、例えばまずカルコ６を、その止着針６２を相手材の表面における墨打ちの一方の起点に刺して止着してから、ケース１を墨打ちの他方の起点へ向けて移動させると、糸巻２の回転を伴いながら、糸３がケース１の移動距離分だけ引き出されて行く。この糸３は、墨室部１１Ｂ内の墨汁浸透部材４のスリット４ａを通る過程で、この墨汁浸透部材４に摺接することによって墨汁が付着する。また、糸巻２に内蔵された渦巻きばね２２が糸巻本体２１の回転に伴って蓄勢される。
【００３０】
ケース１を墨打ちの他方の起点まで移動させたら、図４に示すように、糸３を糸押さえ突起１３７の糸掛け溝１３７ｂに掛けて相手材Ｗの表面に押止することによって、この糸３を、カルコ６との間に適当な張力で張設する。そして、この糸３を相手材の表面に向けて指ではじいて打ち付ければ、糸３に付着している墨汁によって、直線状の墨線を転写することができる。
【００３１】
ここで、糸押さえ突起１３７は先端１３７ａ側ほど幅が減少する先細り形状に形成されているため、カルコ６による止着部と反対側の墨打ち起点が、例えば入り隅の奥の方などの狭い場所にあっても、糸押さえ突起１３７による糸３の押止が可能である。しかも糸押さえ突起１３７は、糸繰り出し口１１Ｃの中心軸線と平行な方向に対して外側へ傾斜して延び、その先端１３７ａがケース１（墨室部側カバー１３）の外側面の延長面より外側に位置しているので、これによる糸３の押止位置が見えなくなりにくい。したがって、入り隅などのような狭い場所でも糸３を正確に押止して墨打ちを行うことができる。
【００３２】
しかも糸押さえ突起１３７は、ケース１を構成する墨室部側カバー１３の端部に形成されているため、従来のように金属からなる別部材の糸押さえ部材を取り付けたものに比較して小型化が可能であり、部品数やコストの低減も可能である。
【００３３】
また、糸押さえ突起１３７によって相手材に糸３を押止する際には、図４に示すように、ケース１の糸巻２側（糸巻収納部１１Ａ及び糸巻側カバー１２からなる部分）を握った手の指（例えば人差し指）の先端部を、この糸押さえ突起１３７に形成された指当て凹部１３７ｃに当てることで、押さえやすく、このため使い勝手が良い。
【００３４】
墨打ち作業終了後は、相手材に止着したカルコ６へ向けてケース１を移動させれば、糸３の引き出し過程で蓄勢された渦巻きばね２２の弛緩動作によって糸巻２が巻き取り方向へ回転するため、糸３は糸巻本体２１に自動的に巻き取られる。そして最後にカルコ６を相手材から引き抜けば、糸３が更に巻き取られてカルコ６の柄６１の先端６１ａが糸繰り出し口１１Ｃに嵌合状態に係止される。
【００３５】
そして、ケース１の糸巻２側（糸巻収納部１１Ａ及び糸巻側カバー１２からなる部分）を手で握った状態では、手のひらの一部又は指の一部を、糸巻本体２１の軸方向一端に取り付けられた環状の摩擦部材２３に接触させることができるので、そのときの摩擦によって、渦巻きばね２２の付勢力による糸３の自動巻き取り速度を容易にコントロールすることができ、あるいは前記摩擦部材２３の滑り止め作用によって手で持ちやすくなるといった効果も得られる。
【００３６】
また、繰り返し使用によって糸３が切れてしまった場合は、渦巻きばね２２の付勢力によって糸巻２の糸巻本体２１に糸３がすべて巻き取られるので、再使用のためには、巻き取られた糸３を、糸挿通部１１Ｄ、墨汁浸透部材４のスリット４ａ及び糸挿通部１１Ｅを通して、糸繰り出し口１１Ｃからケース１の外部へ引き出し、カルコ６に結びなおす必要がある。このような場合は、墨室部側カバー１３を開くと共に、これによってロックが解除された糸巻側カバー１２を取り外せば、図３に示すように、糸巻収納部１１Ａ及び墨室部１１Ｂが開放されると共に、糸挿通部１１Ｄから糸繰り出し口１１Ｃに到る糸通し経路が開放されるので、上述のように糸３を引き出してカルコ６に結びなおす作業を容易に行うことができる。
【００３７】
次に図５は、本発明に係る墨壷の好ましい第二の実施の形態を示すものである。この実施の形態において、先に説明した形態と異なるところは、ケース本体１１の墨室部１１Ｂとこれを開閉する墨室部側カバー１３からなる部分が、ケース本体１１の糸巻収納部１１Ａとこれを開閉する糸巻カバー１２からなる部分から偏心して延びており、かつ糸巻収納部１１Ａの底部と墨室部１１Ｂの底部の間には指掛け凹部１１Ｆが形成されていることによって、あたかも拳銃のグリップを握るように片手で握ることのできる形状となっていることにある。
【００３８】
詳しくは、糸巻カバー１２は、ケース本体１１における糸巻収納部１１Ａの上部開口における後端（図５における左端）に軸心が糸巻２の回転軸心と略平行なヒンジ１２１を介して設けられ、軸方向の投影形状が略半円形をなす。
【００３９】
墨室部側カバー１３は、ケース本体１１における墨室部１１Ｂの外側面に軸心が糸３の引き出し方向と略平行なヒンジ（不図示）を介して揺動可能に設けられ、墨室部１１Ｂ及び糸繰り出し口１１Ｃの上部を開閉するようになっている。また、墨室部側カバー１３の後端部１３ａは糸巻カバー１２の揺動端部（ヒンジ１２１と反対側の端部）１２ａと連接しており、かつ糸巻カバー１２の揺動端部１２ａが、墨室部側カバー１３の後端部１３ａとの嵌合よって糸巻収納部１１Ａを閉じた状態に係止されるものであり、すなわち墨室部側カバー１３を開くことによって糸巻カバー１２も開くことができるようになっている。
【００４０】
糸巻２の軸方向一端は、内周部が、ケース本体１１の糸巻収納部１１Ａとこれを閉じた糸巻カバー１２とによって形成される円形開口部１ａから外部へ露出しており、この露出面にはゴム状弾性材料からなる多数の摩擦部材２３が円周方向等間隔で取り付けられている。
【００４１】
墨室部側カバー１３における糸巻収納部１１Ａと反対側の端部、すなわち糸繰り出し口１１Ｃの外周に位置する部分には、先に述べた形態と同様の糸押さえ突起１３７が一体に形成され、その先端１３７ａがケース１（墨室部側カバー１３）の外側面の延長面より外側に位置している。
【００４２】
その他の部分、例えば糸巻２やばねチャージャの構造などは、基本的には先に述べた形態と同様である。
【００４３】
以上のように構成された第二の実施の形態の墨壷によれば、ケース１は、糸巻収納部１１Ａとこれを開閉する糸巻カバー１２からなる部分を、拳銃を握るように片手で握ることができ、しかも指掛け凹部１１Ｃの存在によって握りやすく、使い勝手が良いものとなっている。
【００４４】
またこの形態でも、糸押さえ突起１３７は先端１３７ａ側ほど幅が減少する先細り形状に形成されているため、入り隅の奥の方などの狭い場所でも糸押さえ突起１３７による糸３の押止が可能であり、しかも糸押さえ突起１３７による糸３の押止位置が見えなくなりにくい。したがって、入り隅などのような狭い場所でも糸３を正確に押止して墨打ちを行うことができる。
【００４５】
糸押さえ突起１３７は、ケース１を構成する墨室部側カバー１３の端部に形成されているため、従来のように金属からなる別部材の糸押さえ部材を取り付けたものに比較して小型化が可能であり、部品数やコストの低減も可能である。
【００４６】
また、糸押さえ突起１３７によって相手材に糸３を押止する際には、ケース１の糸巻２側（糸巻収納部１１Ａ及び糸巻カバー１２からなる部分）を握った手の指（例えば人差し指）の先端部を、この糸押さえ突起１３７に形成された指当て凹部１３７ｃに当てることで、押さえやすく、このため使い勝手が良い。
【００４７】
そして、ケース１を手で握った状態では、手のひらの一部（又は指の一部）を、多数の摩擦部材２３に接触させることができるので、そのときの摩擦によって、渦巻きばね２２の付勢力による糸３の自動巻き取り速度を容易にコントロールすることができ、あるいは前記摩擦部材２３の滑り止め作用によって手で持ちやすくなるといった効果も得られる。
【符号の説明】
【００４８】
１  ケース
１１  ケース本体
１１Ｃ  糸繰り出し口
１２  糸巻側カバー
１３  墨室部側カバー
１３７  糸押さえ突起
１３７ｃ  指当て凹部
２  糸巻
２３  摩擦部材
３  糸
４  墨汁浸透部材（墨汁付着手段）
６  カルコ（止着具）
【図１】
2015213970.tif 000003
【図２】
2015213970.tif 000004
【図３】
2015213970.tif 000005
【図４】
2015213970.tif 000006
【図５】
2015213970.tif 000007